(57)【要約】      （修正有）【課題】健康保険証に連接して臓器提供意思表示カードを設け、臓器提供の意思を表示した事項がラミネート加工されて改竄不可としたカードを提供する。【解決手段】カード用紙２は、カード表紙１０、カード裏紙２０、付加カード３０が連接されている。カード表紙１０とカード裏紙２０は健康保険証であり、付加カード３０は臓器提供意思表示カードである。付加カード３０の表面に特別情報記載欄を設けている。カード用紙２にラミネート加工層を介在してセパレータ紙を貼着する。付加カード３０の特別情報記載欄を形成した部分は、カード用紙２と第１のプラスチックフィルムとの間に特別情報記載欄を覆う大きさの中間剥離紙を重合し、セパレータ紙から第２のプラスチックフィルムを貫通して第１のプラスチックフィルムに達する剥離紙切込み３４を設ける。【選択図】図１
0003141191.tif 000002
【実用新案登録請求の範囲】
【請求項１】
カード台紙（１）にカード３枚分の大きさを有するカード用紙（２）の外側輪郭線となる切り目（３）を設け、上記カード用紙は、カード表紙（１０）、カード裏紙（２０）、付加カード（３０）を区画形成し、上記カード表紙の表面にカード表題（１１）を設け、上記カード裏紙の表面に取扱事項記載欄（２１）を設け、上記付加カードの裏面に特別情報記載欄（３１）を設け、上記カード用紙のこれらカード表題、取扱事項記載欄、特別情報記載欄を設けた面に、当該カード用紙よりも若干大きく形成したラミネート加工層を設けてセパレータ紙（５）を貼着し、上記ラミネート加工層は、上記カード台紙に第１のプラスチックフィルム（６）を接着し、上記セパレータ紙に第２のプラスチックフィルム（７）を接着し、これら第１及び第２のプラスチックフィルムの接合面を剥離可能で再剥離不可に接着したものであり、上記付加カードの上記特別情報記載欄を形成した部分は、上記カード用紙と上記第１のプラスチックフィルムとの間に中間剥離紙（３３）を介在し、上記セパレータ紙から上記第２のプラスチックフィルムを貫通して上記第１のプラスチックフィルムに達する剥離紙切込み（３４）を形成したことを特徴とする台紙付きラミネートカード。
【請求項２】
剥離紙切込み（３４）は、中間剥離紙（３３）の一辺を残し、他の三辺に切り込みを形成したものであることを特徴とする請求項１に記載の台紙付きラミネートカード。
【請求項３】
カード裏紙（２０）の表面となるラミネート加工がなされた面に、ラミネート加工後も文字等が記載できる備考欄（２２）を設けたことを特徴とする請求項１又は２に記載の台紙付きラミネートカード。
【請求項４】
カード用紙（２）は、カード表紙（１０）とカード裏紙（２０）が健康保険証であり、付加カード（３０）が臓器提供意思表示カードであり、上記付加カードに設けた特別情報記載欄（３１）は、提供する臓器及び提供しない臓器の種類、署名をする年月日、自筆による本人署名欄などを設けたことを特徴とする請求項１から３のいずかに記載の台紙付きラミネートカード。
【考案の詳細な説明】
【技術分野】
【０００１】
本考案は、台紙付きラミネートカードに関しており、詳しくは、臓器提供意思表示カードを連接した健康保険証などに最適な台紙付きラミネートカードに関している。
【背景技術】
【０００２】
本願考案者は、カードが用紙本体に切離し可能に設けられており、プリンタを使用してカード上に固有情報を印字した後に用紙本体から切離すと表面にラミネート加工がなされているラミネートカード（特許文献１）を提案し、また、記録した事項が改竄不可に形成した用紙（特許文献２）を提案している。
【特許文献１】特開２００３−３１２１７１号公報
【特許文献１】特開２０００−５２６７１号公報
【０００３】
特許文献１に記載されたラミネートカードは、用紙本体２０（符号は公報記載のもの、以下同じ）に接着した第１のプラスチックフィルム２１に第２のプラスチックフィルム２２を剥離可能な擬似接着の状態で接着し、第２のプラスチックフィルム２２を第１のプラスチックフィルム２１よりも小に形成するとともに、第１のプラスチックフィルム２１と同大に形成したタック紙２４を第１及び第２のプラスチックフィルム２１，２２に接着してラミネート加工部２６を形成し、用紙本体２０の表面から当該用紙本体２０及び第１のプラスチックフィルム２１を貫通して第２のプラスチックフィルム２２に達する切り目２９を設けて当該切り目２９の内側部分をカード３０に形成したものである。
【０００４】
上記のように構成されたラミネートカードは、タック紙２４の周縁部を第１のプラスチックフィルム２１に接着することによってラミネート加工部２６の剛性を高めたものであって、カード３０の表面にカードの固有情報を印字した後、カード３０を切り目２９に沿って第１及び第２のプラスチックフィルム２１，２２の擬似接着部２３を剥がすと、カード３０は裏面に第１のプラスチックフィルム２１が接着されラミネート加工されたものとなる。
【０００５】
特許文献２に記載された印鑑又は住所氏名等の届書用紙は、届出人欄４（符号は公報記載のもの、以下同じ）に形成された印鑑欄５が表面表紙１６と剥離紙層１５とにより形成され、また、用紙本体１は表面に顔料型発色紙層１２が設けられ、表面表紙１６（印鑑欄５）を用紙本体１の顔料型発色紙層１２に剥離可能に接着するに際し、剥離紙層１５と顔料型発色紙層１２との間に剥離紙３０を剥離可能に設けたものであって、表面表紙１６を剥離紙３０とともに剥がし、顔料型発色紙層１２に直接押印（第１の印影４０）した後、当該剥離紙３０を剥がして表面表紙１６を用紙本体１に接着することにより、第１の印影４０が鮮明に記録されるだけでなく、印影の改竄を不可にしたものである。
【０００６】
例えば、カードが会員証などでは、会員の氏名、会員番号などを表記するだけで十分であるが、カードが「健康保険証」などの場合には、これに「臓器提供意思表示カード」を連接して一体構造としておけば、臓器提供の意思を有する人が脳死状態になった時又は心臓が停止した時に、迅速に臓器提供の意思確認ができ、このことが臓器提供者の意思を確実に生かせることになる。
【０００７】
また、カードにラミネート加工をするものにおいて、カード作成後に、カード所持人の署名等を含む特別情報記載欄が改竄不可に形成されていれば、カードの信頼性が高くなるものである。
【考案の開示】
【考案が解決しようとする課題】
【０００８】
本考案が解決しようとする課題は、健康保険証に臓器提供意思表示カードなどを連接したカードであり、それぞれ表面にラミネート加工がなされており、特に、臓器提供意思表示カードにおいては、臓器提供の意思を表示した事項がラミネート加工されて改竄不可とした台紙付きラミネートカードを提供することである。
【課題を解決するための手段】
【０００９】
解決手段の第１は、カード台紙にカード３枚分の大きさを有するカード用紙の外側輪郭線となる切り目を設け、上記カード用紙は、カード表紙、カード裏紙、付加カードを区画形成し、上記カード表紙の表面にカード表題を設け、上記カード裏紙の表面に取扱事項記載欄を設け、上記付加カードの裏面に特別情報記載欄を設け、上記カード用紙のこれらカード表題、取扱事項記載欄、特別情報記載欄を設けた面に、当該カード用紙よりも若干大きく形成したラミネート加工層を設けてセパレータ紙を貼着し、上記ラミネート加工層は、上記カード台紙に第１のプラスチックフィルムを接着し、上記セパレータ紙に第２のプラスチックフィルムを接着し、これら第１及び第２のプラスチックフィルムの接合面を剥離可能で再剥離不可に接着したものであり、上記付加カードの上記特別情報記載欄を形成した部分は、上記カード用紙と上記第１のプラスチックフィルムとの間に中間剥離紙を介在し、上記セパレータ紙から上記第２のプラスチックフィルムを貫通して上記第１のプラスチックフィルムに達する剥離紙切込みを形成したことを特徴とするものである。
【００１０】
解決手段の第２は、解決手段の第１において、剥離紙切込みは、中間剥離紙の一辺を残し、他の三辺に切り込みを形成したものであることを特徴とするものである。
【００１１】
解決手段の第３は、解決手段の第１又は２において、カード裏紙の表面となるラミネート加工がなされた面に、ラミネート加工後も文字等が記載できる備考欄を設けたことを特徴とするものである。
【００１２】
解決手段の第４は、解決手段の第１から３のいずれかにおいて、カード用紙は、カード表紙とカード裏紙が健康保険証であり、付加カードが臓器提供意思表示カードであり、上記付加カードに設けた特別情報記載欄は、提供する臓器及び提供しない臓器の種類、署名をする年月日、自筆による本人署名欄などを設けたことを特徴とするものである。
【考案の効果】
【００１３】
請求項１は、カード表紙、カード裏紙、付加カードを区画形成したカード用紙の表面にラミネート加工層を設けてセパレータ紙を貼着し、上記ラミネート加工層は、上記カード用紙とセパレータ紙の接合面にプラスチックフィルムを剥離可能で再剥離不可に接着し、上記付加カードに設けた特別情報記載欄が、上記カード用紙と上記プラスチックフィルムとの間に中間剥離紙を介在させ、上記セパレータ紙から上記カード用紙のプラスチックフィルムに達する切り込みを入れた剥離紙切込みを設けたものであるから、カード形成後に上記中間剥離紙を介在させたプラスチックフィルムを上記剥離紙切込みから剥がして上記特別情報記載欄を露出し、該特別情報記載欄に署名等を含む特別情報を記載してから剥がしておいたプラスチックフィルムを貼着することにより、上記特別情報記載欄にラミネート加工がなされるものであって、当該特別情報記載欄記載した事項が改竄不可となる効果を奏するものである。
【００１４】
請求項２は、剥離紙切込みが中間剥離紙の一辺を残し、他の三辺に切り込みを形成したものであるから、特別情報記載欄に対するラミネート加工が容易となる効果がある。
【００１５】
請求項３は、カード裏紙の表面となるラミネート加工がなされた面に、ラミネート加工後も文字等が記載できる備考欄を設けたものであるから、カード形成後であっても、備考欄に文字等を記載することができるものとなる。
【００１６】
請求項４は、カード用紙が、カード表紙とカード裏紙が健康保険証であり、付加カードが臓器提供意思表示カードであり、上記付加カードに設けた特別情報記載欄は、提供する臓器及び提供しない臓器の種類、署名をする年月日、自筆による本人署名欄などを設けたものであるから、常時携帯している健康保険証に臓器提供意思表示カードが一体に設けられているので、臓器提供の意思を有する人が脳死状態になり又は心臓が停止した時に、迅速に臓器提供の意思確認ができ提供者の意思を確実に生かせるものとなる。
【考案を実施するための最良の形態】
【００１７】
図１は本考案に係る台紙付きラミネートカードを示す正面図であり、図２は図１の裏面図であり、図３はカード用紙を台紙から剥がした状態示す正面図であり、図４は図３の裏面図であり、図５は台紙付きラミネートカードの中央縦断面図であり、図６は図５における主要部の詳細構造を説明する拡大断面図であり、図７はカード署名欄にラミネート加工を行う手順を示す断面図であり、図８は完成品としてのカードを示す斜視図である。
【００１８】
図１から図６において、１はカード台紙であって、カード３枚分の大きさを有するカード用紙２の外側輪郭線となる切り目３が設けられている。上記カード用紙２は、カード表紙１０、カード裏紙２０、付加カード３０を折り目４により区画形成するものであって、上記カード用紙２よりも若干大きく形成したラミネート加工層（６，７，８）をカード用紙２に重合し、当該ラミネート加工層にセパレータ紙５を貼着したものである。
【００１９】
実施形態において、カード用紙２は、カード表紙１０とカード裏紙２０が二つ折りにした主たるカードとなるものであり、また、カード裏紙２０に隣接した付加カード３０が従たるカードとなるものである。実施形態におけるカードは、カード表紙１０とカード裏紙２０が「健康保険証」であり、付加カード３０が「臓器提供意思表示カード」である。
【００２０】
上記カード表紙１０は、表面に「健康保険証」等のカード表題１１（図４）と、裏面に氏名、生年月日、氏名などを記載する固有情報記載欄１２（図３）を設け、カード裏紙２０は、表面にカード取扱いの注意事項などを記載した取扱事項記載欄２１及び備考欄２２（図４）と、裏面に療養給付記録などを記載するカード情報記録欄２３（図３）を設け、また、付加カード３０は、表面に提供する臓器又は提供しない臓器の意思確認並びに自筆による署名などを記載する特別情報記載欄３１（図４）と、裏面に「臓器提供意思表示カード」等の付加カード表題３２（図３）を設けている。ここで、ラミネート加工を行う面は、図４に示す、カード表題１１，取扱事項記載欄２１，特別情報記載欄３１が設けられた面である。
【００２１】
上記カード用紙２と上記セパレータ紙５の接合面は、剥離可能で再剥離不可に接着されている。具体的には、カード用紙２（カード台紙１）に透明な第１のプラスチックフィルム６を接着し、セパレータ紙５に透明な第２のプラスチックフィルム７を接着し、これら第１及び第２のプラスチックフィルム６，７の接合面に剥離可能で再剥離不可な擬似接着層８を形成している。なお、カード裏紙２０表面には、取扱事項記載欄２１の他にカードを形成した後も文字が記載できる備考欄２２を設けている。
【００２２】
図４に示すように、付加カード３０の裏面に設けた特別情報記載欄３１は、提供する臓器及び提供しない臓器を明確に表示するものであり、提供する臓器の種類、署名年月日、自筆による本人署名欄などを設けるものであって、また、これらの記載事項は改竄できない構造になっている。
【００２３】
上記付加カード３０の特別情報記載欄３１は、カード所持人が所定事項をチェックし自署した後にラミネート加工されるようになっている。すなわち、上記カード用紙２に第１のプラスチックフィルム６を接着する前に、該第１のプラスチックフィルム６に特別情報記載欄３１を覆う大きさの中間剥離紙３３を剥離可能に接着しておく。具体的には、中間剥離紙３３のプラスチックフィルム６との接着面に剥離剤を塗布しておく。この状態で、カード用紙２に第１のプラスチックフィルム６を接着し、セパレータ紙５に第２のプラスチックフィルム７を接着し（実際には、第１及び第２のプラスチックフィルム６，７はセパレータ紙５と同じ大きさであり、カード用紙２よりも若干大きい）、これら両プラスチックフィルム６，７の接合面に剥離可能で再剥離不可の擬似接着層８を形成する。
【００２４】
次いで、セパレータ紙５から第２のプラスチックフィルム７を貫通して第１のプラスチックフィルム６に達する剥離紙切込み３４を形成する。ここで、剥離紙切込み３４は、上記中間剥離紙３３の周縁線に沿って形成するものであり、図４に示すように、当該剥離紙切込み３４は中間剥離紙３３の一辺を残し他の三辺に沿って形成したものである。なお、中間剥離紙３３は、第１のプラスチックフィルム６から剥がして付加カード３０に接着するものであるが、カードの折り目４に沿う方向に２分割しておくと、第１のプラスチックフィルム６から剥がし、次いで当該第１のプラスチックフィルム６のみをカード用紙２に貼付するときに、フィルムに皺などが発生させずに緊張状態で貼付できることになる。
【００２５】
上記剥離紙切込み３４は、上記中間剥離紙３３の全周に沿って形成することができる。この場合は、第１のプラスチックフィルム６を中間剥離紙３３とともに剥がし、特別情報記載欄３１に所定事項を記載した後に第１のプラスチックフィルム６のみを接着して当該特別情報記載欄３１部分をラミネート加工する。
【００２６】
また、上記備考欄２２は、カードを形成した後も文字等が記載できるようにしておく必要があるので、ラミネート加工のために貼着する第１のプラスチックフィルム６に当該備考欄２２の周縁線に沿った切り込みとなる備考欄窓穴２４を形成する。この場合、第２のプラスチックフィルム７及びセパレータ紙５にも、上記備考欄窓穴２４と一致する備考欄窓穴２４ａを形成しておく。
なお、第１及び第２のプラスチックフィルム６，７は予め擬似接着層８を介して剥離可能に接着されているものを使用することができる。この場合は、第１及び第２のプラスチックフィルム６，７をセパレータ紙５に剥離不可に接着し、第１のプラスチックフィルム６をカード台紙１に剥離不可に接着するが、接着作業をする以前に、第１及び第２のプラスチックフィルム６，７及びセパレータ紙５に備考欄窓穴２４，２４ａを開けることが望ましい。
【００２７】
この他、図１を参照して、カード台紙１には、カード用紙２の剥離位置の目安となるように、当該カード用紙２の隅部に相当する位置に「ここからはがしてください」の文字を表示する。
【００２８】
カード台紙１は、図１に示すようにカード用紙２が貼着されている状態で、カード表紙１０（保険証）に、氏名、生年月日、住所などの固有情報をプリンタにより印字した後、カード用紙２をカード台紙１に接着したままカード受取人に配布する。
【００２９】
カード台紙１を受け取ったカード受取人は、カード用紙２をカード台紙１との擬似接着層８から剥離してカード台紙１から取り出す（図３〜６）。
【００３０】
カード台紙１から取り出されたカード用紙２は、特別情報記載欄３１を上方に向けてラミネート加工の準備をする（図７Ａ）。ただし、この時点でカード表紙１０及びカード裏紙２０の表面は第１のプラスチックフィルム６によってラミネート加工がなされている。次に、付加カード３０の特別情報記載欄３１を被覆している第１のプラスチックフィルム６ａを、剥離紙切込み３４に沿って持ち上げて特別情報記載欄３１を露出する。付加カード３０と第１のプラスチックフィルム６ａの間に中間剥離紙３３が介在されているから、第１のプラスチックフィルム６ａは、中間剥離紙３３を伴って付加カード３０から剥離される。そこで、カード受取人は特別情報記載欄３１に自己の意思を表示し、日にちを記載し、さらに自署による署名を行う（図７Ｂ）。
【００３１】
自署による署名がなされたら、第１のプラスチックフィルム６ａから中間剥離紙３３を剥がして第１のプラスチックフィルム６ａのみを特別情報記載欄３１に接着する。これにより、既にラミネート加工がなされたカード表紙１０及びカード裏紙２０とともに、特別情報記載欄３１の表面にプラスチックフィルム６が接着され、所謂ラミネート加工がなされた状態になる（図７Ｃ）。前述したように、第１のプラスチックフィルム６ａから中間剥離紙３３を剥がす時、中間剥離紙３３が２つに分割されていると、中間剥離紙３３は、最初に奥の部分を剥がしてからプラスチックフィルム６ａを貼り、次いで手前の部分を剥がしてプラスチックフィルムを貼ることで、フィルムは皺にならずに緊張状態のまま接着することができる。
【００３２】
表面にラミネート加工がなされたカードは、図８に示すように、カード表紙１０とカード裏紙２０がいずれも表面になるように折り目４から折り曲げ、次いで、付加カード３０をカード表紙１０とカード裏紙２０が折畳まれた内側に向けて折り曲げ、三つ折りされたカード（健康保険証と臓器提供意思表示カード）となる。
【図面の簡単な説明】
【００３３】
【図１】本考案に係る台紙付きラミネートカードを示す正面図。
【図２】図１の裏面図。
【図３】カード用紙をカード台紙から剥がした状態示す正面図。
【図４】図３の裏面図。
【図５】台紙付きラミネートカードの中央縦断面図。
【図６】図５における主要部の詳細構造を説明する拡大断面図。
【図７】カード署名欄にラミネート加工を行う手順を示す断面図。
【図８】完成品としてのカードを示す斜視図。
【符号の説明】
【００３４】
１  カード台紙
２  カード用紙
３  切り目
４  折り目
５  セパレータ紙
６  第１のプラスチックフィルム
７  第２のプラスチックフィルム
８  擬似接着層
１０  カード表紙（健康保険証）
１１  カード表題
１２  氏名欄
２０  カード裏紙（健康保険証）
２１  取扱事項記載欄
２２  備考欄
２３  カード情報記録欄
３０  付加カード（臓器提供意思表示カード）
３１  特別情報記載欄
３２  付加カード表題
３３  中間剥離紙
３４  剥離紙切込み
【図１】
0003141191.tif 000003
【図２】
0003141191.tif 000004
【図３】
0003141191.tif 000005
【図４】
0003141191.tif 000006
【図５】
0003141191.tif 000007
【図６】
0003141191.tif 000008
【図７】
0003141191.tif 000009
【図８】
0003141191.tif 000010